(57)【要約】【課題】従来のレシプロ圧縮機の製造方法では球面座の高精度化が困難なため、摺動面の潤滑油膜の形成が不安定となり、摺動部の信頼性が低い。本発明は、従来に比べて球面座の加工精度を向上させ、摺動面の信頼性が高い圧縮機を得る。【解決手段】レシプロ圧縮機のピストン１とコネクティングロッドの球面座を概球体形状で回転方向に弾性を持たせた加工工具を回転押圧することにより、球面座の加工精度を向上させ、摺動面の信頼性が高い圧縮機を得る。【選択図】図１２
2008101560.tif 000002
【特許請求の範囲】
【請求項１】
冷蔵庫用レシプロ型圧縮機において、ピストンとクランクシャフトとの連結に球面座を有するピストンとそれに組み合わされる球体を有するコネクティングロッドとを用いたレシプロ型圧縮機の球面座の製造方法であって、実際に組み合わされる球体と概同形状の加工工具を球面座に押圧相対摺動させることによって該球面座を製造したことを特徴とするレシプロ圧縮機の製造方法。
【請求項２】
球面座の加工方法であって、相対する球体と概同形状の加工工具を該球面座に押圧相対摺動させることにより製作することを特徴とした球面座とその製造方法。
【請求項３】
冷蔵庫用レシプロ型圧縮機において、ピストンとクランクシャフトとの連結に球面座を有するピストンとそれに組み合わされる球体を有するコネクティングロッドとを用いたレシプロ型圧縮機の球面座の製造方法であって、実際に組み合わされる球体と概同形状の加工工具を弾性支持し、該球面座に押圧相対摺動させることによって球面座を製造したことを特徴とするレシプロ圧縮機の製造方法。
【請求項４】
球面座の加工方法であって、相対する球体と概同形状の加工工具を工具回転方向に弾性支持させ該球面座に押圧相対摺動させることにより製作することを特徴とした球面座とその製造方法。
【請求項５】
球面座の加工に用いる工具あって、相対する球体と概同形状で、工具回転方向に弾性構造を有したことを特徴とする球面座の加工工具。
【発明の詳細な説明】
【技術分野】
【０００１】
本発明は家庭用冷蔵庫、ショーケース等の冷蔵・冷凍装置に用いられるレシプロ圧縮機及びそれを用いた冷蔵庫及びその製造方法に関するものである。
【背景技術】
【０００２】
近年、冷蔵庫用に代表される圧縮機には冷凍・冷蔵性能向上のため圧縮機の高性能化、容積効率の向上のための小型化、並びに低騒音・低コスト化・高信頼性化等が要求されている。従来のレシプロ圧縮機は各家電メーカ等から製品化されているが、その中でピストンとコネクティングロッドに連結部位に球面座を利用したレシプロ圧縮機について図１〜４及び図９を用いて説明する。図１は一般的な連接部に球面座を用いたレシプロ圧縮機の断面図、図２はピストンの動作を示すモデル図、図３、４はピストン及びコネクティングロッドの分解図、図９は従来法による球面座の加工方法である。
【０００３】
冷凍サイクルに用いられる密閉形圧縮機には、一般的に密閉容器１２内に電動機１１と圧縮機構部が収納されている。ピストン１はフレーム４上に設置されているシリンダ５の中に往復自在に設置されており、ピストン１内球面１−ａにコネクティングロッド２の小端面の外球面２−ａを介し揺動自在に取り付けられている。コネクティングロッド２の大端部２−ｂはクランクシャフト８の偏芯部３に軸受けを介し回転自在に取り付けられている。圧力チャンバ１２内にスプリング１０を介して取り付けられているステータ１１とロータ９からなるモータの回転力はクランクシャフト８に伝えられ、その偏芯部８によってコネクティングロッド２を介しピストン１をシリンダ５内で往復運動させる。シリンダ５にはバルブプレート６を介しシリンダヘッド７が取り付けられており、ピストン１の往復動作に同期しバルブ（図示せず）が開閉することにより、圧力チャンバ１２外から導かれた流体を圧縮する。ピストン１とシリンダ５との間やコネクティングロッド２と偏芯部３との間、クランクシャフト８とフレーム４の軸受け部との間などの摺動部位は、圧縮機の運転時には圧力チャンバ１２内に溜められている潤滑油（図示せず）によって潤滑されている。潤滑油の循環にはクランクシャフト８の内部に軸全長に亘り連通する油供給穴を設け、圧力チャンバ１２の下部から汲み上げ摺動部位に給油する方法が採られている。
【０００４】
球体部と球面座とは密閉形圧縮機の作動時には圧縮流体からの大きな力を受けながら摺動するため、摺動時に抵抗にならず滑らかに運動させるために該球面座には高い精度が要求されている。
【０００５】
従来技術として、例えば特公平２―３６７９４号公報に示された密閉型圧縮機では、ピストン１には、コネクティングロッド２の球体部を嵌合する球座が設けられている。球座が球体部３連接する前は、球座に設けられた球体部を包み込むための包み込み部分が、球体部を挿入可能に広がっている。この包み込む部分が広がった状態で球体部を球座に嵌合した後、球座の広がった包み込み部分をかしめる（広がっていた包み込み部分を狭め球体部を包み込んだ状態とする）ことにより、球体部に固接されたコネクティングロッド２が球座に対して揺動自在に連接されており、このかしめた部分のしわから潤滑油を供給し摺動部の信頼性を向上する方法が述べられている。
【０００６】
また、球面座の製造方法として特開平４−３２２９５７号公報にはリング状の砥石を用い、砥石中心を通り砥石台の長手方向に及ぶ軸を回転軸として砥石を回転させ、これと共に内球中心を基点として砥石台を揺動させ、同時に内球頂点から内球中心を通る軸を回転軸として該球面座を回転させながら内球面の研削加工を行う方法が述べられている。
【０００７】
【特許文献１】特公平２−  ３６７９４号公報
【特許文献２】特開平４−３２２９５７号公報
【発明の開示】
【発明が解決しようとする課題】
【０００８】
しかしながら、従来例１の圧縮機ではピストン１とコネクティングロッド２との連接部位の摺動に対して、摺動信頼性が乏しい課題があった。すなわち低コスト化のため強制的な給油を行わずに、クランクシャフトから供給される潤滑油をコネクティングロッド２を伝わらせて給油する構成のため摺動部に十分な潤滑油が供給できない課題がある。特に球面座を用いた連接部位は摺動部の相対運動が狭い範囲の往復運動となるため境界部分への潤滑油の供給を再現性良く行うことができない。潤滑油の供給のための強制給油ポンプを取り付け、コネクティングロッド２に油溝等を付与し供給する方法もあるが製造コストが高くなる課題がある。そこで球面座の精度を向上することによって摺動信頼性を高めることが課題となる。
【０００９】
一方、球面座の加工精度を高める方法としては従来例２に示すような加工方法を採用することが考えられるが、この加工方法では図９に示すように複雑な回転・押圧構造が必要となる。本件の圧縮機のような加工対象となる球部寸法が小さい場合には設備の構成が不可能であり、図１０に示すような旋削加工等による方法を採らざるを得ず、加工精度の向上が困難である。
【００１０】
このような課題があるため、従来の球面座を用いたレシプロ圧縮機では球面座の摺動信頼性が乏しく、球面座が異常摩耗を起こして性能の劣化が起こったり、最悪は圧縮機のモータが停止してしまうような不具合を生じてしまう課題がある。
【課題を解決するための手段】
【００１１】
この課題はレシプロ圧縮機の球面座の精度を向上することにより解決できる。すなわち球面座の精度を高めることにより、極圧状態でも摺動面の油膜切れ等の不具合を防止することが出来るようになる。本発明はこれを具現化するためになされたものである。
【００１２】
また本発明の方法によると連接部位の製造方法を変更するだけで、簡単に製造可能であり、かつその手法も簡易で安価な設備で製造できるため、低コストに摺動部位の信頼性を向上することができる。
【発明の効果】
【００１３】
ピストン１とコネクティングロッド２の接続部位に球面座を用いたレシプロ圧縮機の球面座の精度を高めることにより、摺動部分の信頼性の高い圧縮機を安価に得ることができる。また、潤滑油用ポンプ等の強制潤滑のための機構も不要となるため、低コストな圧縮機を得ることが出来る。
【発明を実施するための最良の形態】
【００１４】
低コスト化のため簡易な製造方法で球面座の精度を高めることにより、本課題は解決できる。その方法を図面を参照して説明する。図１はレシプロ圧縮機の断面図、図３はピストン１の動作を示すモデル図、図３、４はピストン１及びコネクティングロッド２の分解図である。図５、６は圧縮機運転時の球面座の状態を示した模式図。図７は本発明によるピストン球面座の製造方法の加工時の様態を誇張した部分拡大図である。図８は本発明によるピストン球面座の製造方法の説明図である。また、図９はピストン１内球面部の製造方法の説明図、図９、１０は従来法によるピストン１内球面の製造方法の説明図である。
【００１５】
一般に球面継ぎ手は図５に示すように球面座の直径Ｄ、それに勘合せしめる球体２−ａの直径ｄとし、その直径差のクリアランスｅで設定され組み立てられている。このクリアランスｅに潤滑油（図示せず）の油膜が形成され、連結部の滑らかな運動を実現させている。しかし、この球面座は圧縮機運転時の冷媒の加圧時の状況を考慮すると図６に示すような形態となっていると言える。すなわち極圧状況下ではミクロ的にみるとクリアランスｅがゼロとなるように球体と球面座とが近づき、状況によっては油膜が途切れてしまう場合がある。このような現象は幾何学的に図６に示した球面座１−ａと逃げ形状１−ｂとの境界近傍が最も発生しやすい部位となる。球面座１−ａの加工精度が悪い場合も極圧字には同様の現象が発生しやすくなり、油膜切れによる摩擦抵抗の増加、ひいては球面座の磨耗等が生じてしまう。
【００１６】
一方、球面座の製造方法は図１０に示すように、球面座１−ａを有するピストン１を回転させ、切削用バイト１５を所望の球の寸法になる様に運動させることにより製作している。図からわかるように、加工工具であるバイト１５は加工対象の形状により不要な干渉をさけるため非常に細くなければならず、加工力によってバイトのたわみが生じやすいため精度が悪い。特に球面座１−ａの回転中心は加工速度がゼロとなるため、加工精度が非常に悪くなり、図に示すように球面座側に逃げ形状１−ｂを付与して精度の悪い部分の接触を回避している。
【００１７】
このような工夫を施しても特に球面座１-ａと逃げ１−ｂとの境界付近は精度が悪くなりがちで、生産上の隘路となっている。図９に示した従来例２ではこのような課題を克服するために工具側１４を回転させることで、加工速度を確保し、精度向上させうるものであるが、加工工具を運動させるための設備の構成が複雑であり、小径の球面座には適用できない。
【００１８】
このような現状を鑑み、発明者らは球面座の摺動信頼性を確保するためには、球面座１−ａの、特に逃げ１−ｂとの境界付近の加工精度を向上させることが肝要であることを実験的に見出した。本発明はそれを具現化するためになされたものである。
【００１９】
すなわち、球面座１−ａはクリアランスｅの変位を考慮すると、球体２−ｂは球面座１−ａと逃げ１−ｂとの境界付近に接触する。これと同様に球体２−ｂとほぼ同様な形状の加工工具を押圧しても同じ現象が発生するはずである。従って加工工具１３を実際に勘合される球体２と同形状に構成することにより、最も加工精度の必要な部位の加工が可能となる。以下の本発明による実施例の形態を述べる。
【実施例１】
【００２０】
図７に実施例１の製造方法の部分拡大モデル図を示す。球体に模した形状の加工工具１３は球面座１-ａとのクリアランスを１０μｍに設定して成形した砥石であり、セラミック砥粒＃２２０を用いた。球面座１−ａの内球部に砥石を挿入押圧し相対摺動させた。このようにして製造された球面座は精度が高く、逃げ部分との境界付近の面粗さを１μｍＲｍａｘ以下に加工できた。なお加工前の精度は面粗さ５μｍ程度の旋盤加工したものを用いた。この球面座を有したレシプロ圧縮機は、球面座部の摺動面の耐摩耗性が良く、摺動抵抗も小さく出来た。
【実施例２】
【００２１】
実施例２の形態を図１１に示す。実施例１と同様に加工前の状態は旋盤加工されたものを用いた。砥石の損耗による生産性の劣化を考慮し、砥石を電着法によるｃＢＮ砥粒とし、加工時の傷等をさけるため弾性を持たせるよう、すり割り１３−ｂを設けた砥石を製作し、球面座と工具軸とを傾斜させ設置し両者を回転相対摺動させた。このようにして製造された球面座は精度が高く、逃げ部分との境界付近の面粗さを１μｍＲｍａｘ以下に加工できた。また、製作した砥石もほとんど磨耗することがなかった。この球面座を有したレシプロ圧縮機は、球面座部の摺動面の耐摩耗性が良く、摺動抵抗も小さく出来た。
【００２２】
このようにして製造されたピストン１を用いたレシプロ圧縮機は連接部の耐摩耗性が高いので、性能劣化が無く信頼性の高い圧縮機を提供することが出来る。
【産業上の利用可能性】
【００２３】
本発明は球面座の摺動信頼性を安価に向上させうる技術であり、類似の球面座を用いた製品先般に対して利用可能である。
【図面の簡単な説明】
【００２４】
【図１】レシプロ圧縮機の断面図。
【図２】ピストンの動作を示すモデル図。
【図３】ピストンの断面図。
【図４】コネクティングロッドのモデル図。
【図５】球面座の接触状況を誇張拡大した説明図。
【図６】球面座の接触状況の説明図。
【図７】本発明による実施例１のピストン球面座の製造方法を誇張拡大した説明図。
【図８】本発明による実施例１のピストン球面座の製造方法の説明図。
【図９】従来法によるピストン球面座の製造方法の説明図。
【図１０】従来法によるピストン球面座の製造方法の説明図。
【図１１】本発明による実施例２のピストン球面座の製造方法を誇張拡大した説明図。
【図１２】本発明による実施例２のピストン球面座の製造方法の説明図。
【符号の説明】
【００２５】
１…ピストン、２…コネクティングロッド、３…偏芯部、４…フレーム、５…シリンダ、６…バルブプレート、７…シリンダヘッド、８…クランクシャフト、９…ロータ、１０…スプリング、１１…ステータ、１２…圧力チャンバ、１３…砥石、１４…砥石、１５…内径バイト。
【図１】
2008101560.tif 000003
【図２】
2008101560.tif 000004
【図３】
2008101560.tif 000005
【図４】
2008101560.tif 000006
【図５】
2008101560.tif 000007
【図６】
2008101560.tif 000008
【図７】
2008101560.tif 000009
【図８】
2008101560.tif 000010
【図９】
2008101560.tif 000011
【図１０】
2008101560.tif 000012
【図１１】
2008101560.tif 000013
【図１２】
2008101560.tif 000014